(57)【要約】【課題】本発明は、前扉を開けずに外部からのメダル補給を終えれば自動的にメダルの払出が続行する便益なメダル払出装置を提供することを目的とする。【解決手段】錠付きの前面扉１４を具えた払出装置本体の外面にメダル補給口１５を設ける。払出手段の正常運転時、メダルが払い出されたことがメダルセンサーＭＳ１、ＭＳ２で検知されない場合に、払出手段Ｄ１、Ｄ２に対しメダル払出のためのリトライ運転を行わせる。このときメダル貯留部（ホッパーＨ１，Ｈ２）内のメダルの有無をメダル切れ検出手段（ＭＥ１，ＭＥ２）で検知し、メダル無しでのリトライ運転であれば判断部でメダル切れと判断する。メダルを補給口から補給しメダル切れ検出手段でメダルタンク内メダル有りとなれば、制御部３０により前記払出手段が自動的に払出動作状態に復帰し、払い出しが継続する。【選択図】図５
2008161229.tif 000002
【特許請求の範囲】
【請求項１】
遊戯用メダルを貯えるメダル貯留部（４０，Ｈ１，Ｈ２）を有すると共に、該メダル貯留部の底部に設けたメダル払出手段（５５）を有し、払出指令により所要量のメダルを前記メダル貯留部から前記メダル払出手段（５５）によって取出口（２４）に払い出すメダル払出装置において、メダルを補給するために前記メダル払出装置（１０）の筐体（１１）の外面に設けられた前記メダル貯留部と通じるメダル補給口（１５）と、前記筐体（１１）の前面開口に開閉自在に設けられ、かつ錠装置（２６）を備えた前扉（１４）と、前記メダル貯留部内のメダルが設定残量以下となったメダル切れであることを検出するメダル切れ検出手段（５１）と、前記メダル貯留部からメダルが払い出されたことを検出するメダル払出確認手段（５３）とを備え、前記メダル払出手段（５５）が払出動作中にもかかわらず、前記メダル払出確認手段（５３）がメダル不確認で、かつ前記メダル切れ検出手段（５１）がメダル切れを検知している場合、メダル貯留部のメダル切れと判断し前記メダル払出手段の払出動作を停止し、メダルが前記補給口（１５）から補給されることにより、メダル有りが前記メダル切れ検出手段（５１）を介して検出されると、前記メダル払出手段（５５）を払出動作状態に復帰制御する制御手段を有することを特徴とするメダル払出装置。
【請求項２】
請求項１において、前記メダル貯留部が複数であって、これら各メダル貯留部に対応して、メダル払出手段（５５）とメダル切れ検出手段（５１）とメダル払出確認手段（５３）とが夫々設けられた構成であり、かつ前記制御手段は、前記各メダル払出確認手段がメダル不確認のときに前記各メダル払出手段に対しメダル払出のための払出運転を繰り返し実施させる再払出運転実施手段と、前記各再払出運転が規定回数を超えて繰り返されたオーバー運転なのかを判断する再払出運転オーバー判断部と、前記各再払出運転の全てがオーバー運転であるときに、各々のメダル切れ検出手段を通じて全てのメダル貯留部においてメダル切れ情報を得るならば、メダル貯留部のメダル切れと判断して前記各メダル払出手段の払出動作を停止し、メダルが前記補給口（１５）から補給されることにより、メダル有りが前記各メダル切れ検出手段（５１）を介して検出されると、前記各メダル払出手段（５５）を払出動作状態に復帰駆動する復帰駆動制御手段とから構成されていることを特徴とするメダル払出装置。
【請求項３】
請求項１および２において、前記制御手段は、さらに、前記メダル払出確認手段（５３）がメダル不確認のときに前記メダル払出手段（５１）にておいて実施したメダル払出のための再払出運転が規定回数を超えて繰り返されたオーバー運転のときに、そのオーバー運転が前記メダル切れ検出手段（５１）がメダル切れと検知している状況下のものであった場合、メダル貯留部のメダル切れと判断し、一方前記メダル切れ検出手段（５１）がメダル有りと検知している状況下のものであった場合に、異常と判断する状態判断部を含むことを特徴とするメダル払出装置。
【請求項４】
請求項１、２および３のいずれかにおいて、前記前扉（１４）に、販売に係わる表示を行う表示部（２３）を設け、該表示部（２３）には前記状態判断部の判断結果に応じた内容の表示が前記制御手段にて切り替わり表示されることを特徴とするメダル払出装置。          
【発明の詳細な説明】
【技術分野】
【０００１】本発明は、遊戯場等に設置されて、客が投入した貨幣の金額内で、所望する量の遊戯用メダルを払い出すメダル払出装置に関する。特にメダル切れ時にメダル補給によって、メダル払い動作が自動的に復帰し、メダルを継続して払い出せるようにしたメダル払出装置に関する。なお、ここでいう貨幣とは、紙幣、硬貨、トークン等の代用貨幣、およびそれらと類似のものを含むものとする。
【背景技術】
【０００２】この種の払出装置として、出願人に係わる、特願平５−２３２３３３号（特開平７−６５２１５号公報）に記載された両替装置がある。この装置を概略的に説明すると、開閉可能な前扉を有した装置本体内にメダル／コインを収容するタンクと、該タンクからメダル／コインが供給貯留されるホッパと、該ホッパーの底に回転自在に設けられたメダル／コインの投出器である回転ディスクによりメダル／コインを払い出す払出機構を備えている。そして、客が前扉の前面部に設けた貨幣投入部から貨幣を投入すると、その貨幣の真偽および金額計数が前扉の裏部に配した識別計数処理装置で処理される。選択ボタンが客により操作されると、払出指令が前記装置本体に搭載した制御ユニットを介して、メダル／コインの投出器に送られ払い出し作動する。前記メダル／コインの投出器は、前記制御ユニットによって各選択ボタン毎に設定してある払出数枚数分のメダル／コインを払い出すように駆動制御されて、所要量のメダル／コインが前扉の下方部に位置している取出口に投げ出される構成のものとなっている。前扉の前面部には、表示部が選択スイッチの上方に設けられ、この表示部には同公報の図１１に示すように、通常の販売待機状態、販売時、販売中止などの状態に応じた内容の情報表示がなされるようになっている。また前扉には錠が設けられており、この錠を店員が所持する鍵によって開錠、施錠することにより前扉は開閉可能となる。さらに前扉を開けたときに、店員が操作可能なテンキーボタン、モード選択キースイッチ、リセットボタン等を備えた制御部が、上述したように装置本体のケーシング内の上方部に搭載されている。制御部にはまた、前記テンキーボタンで制御モードを設定するときにその手順を表示したり、装置の運転異常内容等が表示される別の表示部を有している。【０００３】ところで、従来メダルの払い出しでタンク並びにホッパー内のメダルが減り、予めメダル切れ状態として設定した残量値になると、メダル切れスイッチがオンし、メダル切れが検出される。メダル切れスイッチは例えばホッパーにおいて、その比較的に低い個所の位置に設けられている。またメダル切れスイッチとしては、発光素子と受光素子を有し、発光素子から受光素子へ投射される光を、貯留され嵩だかとなったメダルにて遮断されるか否かでＯＮ／ＯＦＦしてメダル切れ信号を得ることにより、メダル切れの有無を検出できる光センサ等を使用することができる。したがって、メダル切れスイッチがメダル切れを検出すると、表示部には中止等（販売中止の意味）の表示がなされる。すなわち通常の販売待機時でのメダル切れが表示され、メダル切れでありメダル払い出しができないことを購入客に対して知らせる。店員はこの表示部のメダル切れ画面を見てメダル切れを知り、メダルの補給を行う。メダル補給は前扉を開け、タンクのメダル投入口に設けてある投入口蓋を開けてメダルを補給する。このような対応が通常の販売待機時でのメダル切れに対しては、採られる。【０００４】一方、メダル払い出し中でメダル切れになることもある。近年、払い出されるメダル数も増加しているので、例えばホッパー内のメダル量がメダル切れ量状態に近く、ストック量が十分でないときに、そのストック量を超える多量のメダルの購入指示があった場合には、このような払い出し時のメダル切れが発生する。すなわちメダル／コインの投出器は、メダル／コインを１枚払い出すごとにカウントし、カウント信号を制御ユニットに含まれている制御部（ＣＰＵ）に向けて送出する機能を有している。そして通常の払出運転時にあっては、制御部はカウントの総数が払い出し指令枚数と一致したら、メダル／コインの投出器を停止するように制御している。なおカウント信号は、例えば後述する特開２０００−１７２８９６号公報に記載するメダル検知センサにより得ることができる。【０００５】したがってストック量が少ないと、払い出しカウント数と関連して制御されているメダル／コインの投出器がストックしていたメダル／コインを全て払い出しても、要求枚数分のメダル／コインは全部払い出されていないという、払い出し中のメダル切れとなるケースがある。こうしたメダル払い出し中のメダル切れのときには、販売待機時のメダル切れと同様に、表示部に中止等の表示がなされる。購入中の客はこれを見て店員を呼ぶ。呼ばれた店員はこの表示を見て、販売中のメダル切れを知り、前扉を開けタンクにメダルを補給する。なお、この場合には、ホッパー内にメダルが無くなって、メダル検知センサからのメダルカウント信号が出力されない状態が継続するので、制御部によって投出器は強制的に駆動を停止させられ、払い出しを中断している。【０００６】そして、メダルの補給後、あるいは詰まったメダルの除去後に、払い出し動作を中断した投出器を、制御部にあるリセットボタン（上記特許公開公報の図５中に示すリセットスイッチ７４）を押して再駆動（払い出し運転）が行える状態、すなわち待機状態に戻すようにしている。なお、前者の通常の販売時のときにも、ストック量（ストック量≧一回販売量））が少ないと、一回分の販売途中でもメダル切れスイッチがオンしメダル切れとなることがあるが、そのメダル切れ信号とは無関係に、投出器は定常的に発信されるカウント信号での制御を優先しているので、払い出し動作は継続するものとなっている。これにより１回分の販売量は確保されるようにしてある。【０００７】さてここで、従来のメダル払い出し中にメダル切れが発生したときの処理動作について説明する。図１０は、２台のメダル払い出し装置に係る構成を概略的に示すブロック構成図である。なお同図は、本発明に係るメダル払い出し装置でもほぼ同様の構成図であり、図中、ホッパー部において、従来構成のホッパーはｈ１，ｈ２と表記し、本発明構成のホッパーはＨ１、Ｈ２として併記してある。図１１は、その２台のメダル払い出し装置でのメダル払い出し中にメダル切れが発生したときの制御動作を説明するためのフローである。  図１０において、メダルを多量にストックする２台のメダルタンクＭＴ１、ＭＴ２が設けられている。それぞれのメダルタンクＭＴ１、ＭＴ２に対応して、メダルをストックし、且つ払い出すための払出装置が設けられている。各払出装置は、メダルを貯留するホッパーｈ１，ｈ２と、ホッパーｈ１，ｈ２の底部に回転自在に設けたメダル投出器５５（Ｄ１，Ｄ２）を備えている。投出器Ｄ１，Ｄ２はモータによって回転駆動される円板���の回転ディスクであり、これにはメダルを受け入れる円形の貫通孔が周方向に複数個形成されている。投出器Ｄ１，Ｄ２がメダルを前記貫通孔に保持して回転することにより、メダルは投出器Ｄ１，Ｄ２の下に微小間隙を保って設置してある図示を略した円形の案内板上に載置され、かつ投出器Ｄ１，Ｄ２の裏面に設けた弧状の押し出し片（図示せず）により外周方向へと移動させられる。そしてメダルは、最終的には、投出器Ｄ１，Ｄ２を囲むように設けられている案内周壁（図示せず）の一部に設けてある払出口（図示せず）から、外部に払い出されるようになっている。それぞれのホッパーｈ１，ｈ２には、ホッパーｈ１，ｈ２内のメダルの残量を検出し、予め設定した残量値以下になるとメダル切れであることを検出するメダル切れセンサＭＥＳ１，ＭＥＳ２が設けられている。メダル切れセンサＭＥＳ１，ＭＥＳ２は、ホッパーｈ１，ｈ２の内面でかつ比較的低い位置に設けられている。また投出器Ｄ１，Ｄ２には、メダルが払い出されたかを検知するメダル払出確認手段５３（メダルセンサＭＳ１，ＭＳ２）が設けられている。【０００８】メダル払出確認手段５３としては、例えば特開２０００−１７２８９６号公報に記載するような機構のコインセンサを用いることができる。すなわち、放出路に送り出されるコインはコイン計数用のローラをスプリングに抗して動かす。すると動かされるローラを持つやや長い枢軸片の移動は、センサによって検出されることで、払い出されたコインをカウントすると言うような構成のメダル払出確認手段である。あるいはメダルの払出シュート内に、払い出されるメダルを検知しカウントすることができるフォトセンサや近接スイッチなどが採用できる。【０００９】次に図１１のフローに付いて説明する。払い出し指令を受けて、メダルが投出器Ｄ１，Ｄ２によってホッパーｈ１、ｈ２から払い出されている（ステップＳ２１）。すなわちメダルの払い出し中である。メダル投出器Ｄ１（以降、回転ディスクＤ１として説明する）の駆動により、ホッパーｈ１からメダルが１枚払い出され、それがメダルセンサＭＳ１によって検出され、カウントされる。ホッパーｈ２においてもメダル投出器Ｄ２（以降、回転ディスクＤ２として説明する）によって払い出されたメダルが、メダルセンサＭＳ２で同様に検出され、カウントされる。通常運転であれば、メダルセンサＭＳ１とメダルセンサＭＳ２での合計カウント数と、指示された払い出し枚数が一致したならば、回転ディスクＤ１，Ｄ２は回転停止となり払い出しが終了する。【００１０】ここでホッパーｈ１の回転ディスクＤ１が正常に駆動したにも係わらずメダルセンサＭＳ１から、払い出したというメダルの検知信号（カウント信号）が暫くしても無いとき、運転異常と判断し、ホッパーｈ１の運転が一時停止する。こうしたメダルセンサＭＳ１から払出信号が得られない場合、それは往々にホッパーｈ１内で回転している回転ディスクＤ１の貫通孔にメダルが正常に捕捉されていないことから起きていることがある。他のケースとしては、総じてジャムと称するメダル詰まり（かみこみ、ブリッジ現象）がホッパー内に生じたことが原因で払い出しができないというケースが該当する。【００１１】そこで、このよ���な時には、回転ディスクＤ１を一旦回転停止させた後に、再度回転ディスクを一回転だけ駆動する。このように一回転だけ運転を試みることで、前者のケースではその一回転の間にメダルが攪拌され、貫通孔に入り込み払い出しが可能になることが期待できる。このようなメダルを払い出すために再払い出し運転を行うようにする。ここで説明の便宜上、このようなメダル払い出しのために行う再運転を、リトライ（再試み）運転と称することにして、更に説明を続ける。この場合上述のリトライ運転を繰り返すことで、さらに払い出しが期待できるので、回転ディスクが過負荷に至らないように制限した規定回数（例えば３回など）内でリトライ運転をさせる。回数を制限するのは、上述のジャムなどが生じている場合であると、回転ディスクがロック状態というケースなので、このような時でのリトライ運転では、モータが過負荷になり焼損するという悪い事態になるので、これを考慮して防止するためである。こうしてメダルの捕捉が不十分な場合には、大概、この規定回数以内のリトライ運転でメダルが孔に捕捉されるために払い出されることが多く、普通はメダルセンサから払い出し信号が得られる。【００１２】しかし、この規定回数のリトライ動作を実行しても、メダルセンサＭＳ１、２からの払い出し信号が検出されない場合には、回転ディスクＤ１，Ｄ２内に、すなわちホッパーｈ１、ｈ２内に全くメダルが無いか、或いはメダル詰まりであることが予測される。よって、このリトライ運転動作が規定回数を超えて実施されたか否かの判断で、要求量のメダルが払い出されないうちに、ホッパー内のメダルが空となった払い出し中のメダル切れや、メダル詰まり（ジャム）などの異常が起きている等の検出が可能である。【００１３】このように回転ディスクＤ１が払い出し動作中であるにもかかわらず、メダルセンサＭＳ１からメダル検出信号が検出されない場合、回転ディスクＤ１を一旦停止後、再駆動しリトライ運転動作させる。そしてそのリトライ運転が規定回数以上に繰り返されたリトライオーバーであったかを判断する（ステップＳ２２）。ステップＳ２２の判断で、ホッパーｈ１がリトライオーバーであれば、ホッパーｈ１がメダル切れか、或いはジャムかが予測される。【００１４】仮にステップＳ２２での判断がＹｅｓでホッパーｈ１がメダル切れとなっても、ホッパーｈ２からのメダルの払い出しが可能なので、回転ディスクＤ２を駆動しホッパーｈ２からのメダル払い出しを行う。ホッパーｈ２から払い出されたメダルはメダルセンサＭＳ２によりカウントされる。ホッパーｈ２からのメダル払い出し中であって、かつ指示された総払い出し数のメダルが出ないうちに、メダルセンサＭＳ２からメダル検出信号が検出されないなら、ホッパーｈ２の回転ディスクＤ２を一旦停止後、再駆動しリトライ運転動作させる。そのホッパーｈ２でのリトライ運転が規定回数以上に繰り返されたリトライオーバーであったかを判断する（ステップＳ２３）。ステップＳ２３の判断で、ホッパーｈ２において、リトライオーバーであれば、ホッパーｈ２は、メダル切れかジャムかであるかが予測される。【００１５】ステップＳ２２、ステップＳ２３の判断が共にＹｅｓであれば、ホッパーｈ１，ｈ２���もメダルがその中に無い払い出し中のメダル切れか、ジャムかが起きていると判断される。この時には、表示部２３（図１０参照）に中止という画面表示がなされる（ステップＳ２４）。なお「中止」の表示と共にＭＥＤＡＬという表示を併記させ、メダル切れを示唆するようにすると良い。「中止」の画面表示を見た店の係員が、キーで前扉を開ける。次いで制御部３０の表示部３６に、中止となった原因のエラーの内容を表示させる（ステップＳ２５）。その表示方法は、エラー確認用の押しボタンとして予め設定してあるテンキーのうちの特定の数字ボタン（例えば０数字キーボタン）を押す。なお０キーボタンを押す毎に、前記表示部３６にエラー内容の履歴が順次表示されるようになっている。また表示部３６にはメダル切れのとき、「ホッパーｈ１へメダルを補給して下さい」と表示される。メダル詰まりであれば、「ホッパーｈ１の異常です」と表示される。店員は表示部でエラー内容を確認したら、制御部３０にあるリセットボタンＲＳを押し、エラーを解除する（ステップＳ２６）。【００１６】そしてメダル切れの場合は、前扉を開けてメダルタンクＭＴ１、ＭＴ２にメダルを補給する（ステップＳ２７）。補給されたメダルは、メダルタンクからホッパーｈ１とホッパーｈ２内に入りストックされる。なお、メダル詰まりのときは、その詰まったメダルを排除する。メダルがホッパーｈ１，ｈ２に補給されると、ホッパーｈ１，ｈ２内はメダル有りとなったか否かがメダル切れセンサＭＥ１、ＭＥ２の検出信号の有無で判断される（ステップＳ２８）。この場合、メダルの投入補給によりホッパーｈ１，ｈ２内に貯まったメダルをメダル切れセンサＭＥ１，ＭＥ２が検出しメダル有り信号が得られている。従って、そのメダル有り信号によって、ステップＳ２８の判断はＹｅｓとなる。ステップＳ２８でＹｅｓとなり、ホッパーｈ１，ｈ２ともメダルが有って、払い出しが可能となったので、表示部２３は払出画面の表示に切り替り、再びメダルの払い出しが行われるようになり、メダルの払出が継続する（ステップＳ２９  ）。なお、通常運転時（販売待機時）には、払い出し画面は、特許文献１の公報の図１の（ａ）及び（ｂ）に示した表示が一定時間（例えば２〜３秒）を隔てて交互に表示される。【００１７】
【特許文献１】特願平５−２３２３３３号（特開平７−６５２１５号公報）
【発明の開示】
【発明が解決しようとする課題】
【００１８】上述したメダル貸し機においては、メダル払い出し中のメダル切れや待機（客待）状態においてのメダル切れが発生した場合、中止画面となりメダル切れを表示していた。この状態になると店員がキーを前扉の錠に差し込み開錠して、前扉を開けメダルを補給する。特に回転ディスクが払い出し途中で強制的に停止制御されるメダル払い出し中のメダル切れ時では、メダル補給後に制御ユニットの「リセットボタン（ＲＳ）を押す」ことで、回転ディスクが再動作できるように初期状態に戻す（セッティングする）操作、すなわちリセット操作をする必要があった。【００１９】すなわち従来では、メダル切れが生じた場合に、図１１の点線枠１０３に示すフローの中の、前扉の開放（ステップＳ２５の処理）と、必要あるときは、払い出し動作の復帰のために制御回路をリセットするというリセット操作（ステップＳ２６の処理）を行う必要があった。最近では、メダルの払出枚数も増量傾向にあり、払い出し途中でメダル切れになる頻度も高くなっている。よって払い出し中にメダル切れとなる度に、前扉を開放し、制御回路をリセットすることは煩わしい作業であった。またメダル補給の都度毎に行う前扉の開放で、金庫部が露出するので、金銭が紛失するなどのトラブル発生の可能性も有り、金銭管理面上好ましくない。最近では、このような観点から、特定の店員以外には扉の開放をさせず、硬貨／紙幣に触らせない運用方法が採られている。すなわちメダルの補給は前扉を開けないで行えるように、メダル貸し機の本体にメダルの「外部補給口」を設け、外部からメダル補給ができるようにした構造が提案されている。【００２０】本発明は、上述した点にメダル補給時に付帯する作業の負担に鑑み成されたもので、メダル補給を終えればリセット操作を行わなくてもメダル払出装置がメダルの払出状態に自動復帰するように構成することにより、装置の稼動率を高めると共に、メンテナンスを能率的に行えるように改良したメダル払出装置を提供することを目的とする。またメダル払い出しの不正常がメダル切れかメダル詰まりか等の判別を可能にして、メダル詰まりなどの時だけ開扉させるという扉開閉を制限することによって、金銭紛失のトラブルを減少させ、管理性の改善が期待できるように図ったメダル払出装置を提供することを目的とする。
【課題を解決するための手段】
【００２１】遊戯用メダルを貯えるメダル貯留部を有すると共に、該メダル貯留部の底部に設けたメダル払出手段を有し、払出指令により所要量のメダルを前記メダル貯留部から前記メダル払出手段によって取出口に払い出すメダル払出装置において、メダルを補給するために前記メダル払出装置の筐体の外面に設けられた前記メダル貯留部と通じるメダル補給口と、前記筐体の前面開口に開閉自在に設けられ、かつ錠装置を備えた前扉と、前記メダル貯留部内のメダルが設定残量以下となったメダル切れであることを検出するメダル切れ検出手段と、前記メダル貯留部からメダルが払い出されたことを検出するメダル払出確認手段とを備え、前記メダル払出手段が払出動作中にもかかわらず、前記メダル払出確認手段がメダル不確認で、かつ前記メダル切れ検出手段がメダル切れを検知している場合、メダル貯留部のメダル切れとの判断し前記メダル払出手段の払出動作を停止し、メダルが前記補給口から補給されることにより、メダル有りが前記メダル切れ検出手段を介して検出されると、前記メダル払出手段を払出動作状態に復帰制御する制御手段を有することを特徴とするメダル払出装置である。
【発明の効果】
【００２２】メダルの払い出しが不調で、メダル貯留部、例えばホッパーからメダルが払い出されたことがメダル払出確認手段で検出されない場合には、メダルを払い出すべくメダル払出手段を再動作させる。そしてこれを数回繰り返すリトライ運転を行う。リトライ運転でメダルが出ない場合、メダル切れ検出手段はメダル貯留部におけるメダル有りを検知しているか、メダル無し（メダル切れ）検出しているかを判断する。メダル切れ検出手段にてメダル無しが検出されている状況ならば、メダル貯留部であるホッパーに払い出すべくメダルが無いために払い出されないと判断される。メダル切れ検出手段がメダル有りを検知しているならば、メダルが有りながらメダルを出すためのリトライ運転が行われたということから、メダル詰まりなどの異常が発生していると判断される。また異常としては、メダル切れ検出手段がメダル以外の物体で誤検出作動しているケースもある。すなわち、光センサ式のメダル切れ検出手段であった場合、メダル貯留部に混入したメダル以外の物で光軸が遮断され、誤ってセンサ作動しているというケースである。【００２３】メダル切れのときには、表示器にメダル切れであることが表示される。店員はメダルを外部の補給口から補給する。ホッパーにメダルが溜まり、メダル切れ検知手段でメダル無しからメダル有りと検知されれば、メダル払出が可能となるので、制御手段が自動的に払出手段をメダルの払出可能な動作状態に戻し、待機させる。従って、メダル切れ時にはメダルを補給しさえすれば、自動的にメダル払出装置はメダル払い出しができる状態に自動復帰するように制御され、メダルが払い出し可能になるので、従来のように払出準備状態に戻すためにリセット操作をする必要は無い。このためメダル切れ時の対応作業が捗るという利点がある。また装置を迅速に販売待機状態へ復帰させることができるので、メダル払い出し装置の稼動率は高くなり、客へのサービス性も向上する。さらにリトライ運転をメダル貯留部におけるメダルの有／無情報と関連付けることにより、メダル切れ／メダル詰まりなどの判別が可能なので、状況に応じて必要とする作業、措置を適切かつ早急に行えるようになるので、保守、点検などメンテナンスが向上する。またメダル切れ／メダル詰まりなどの判別も、格別に高度で複雑な判断のための回路構成を用いずとも達成できるので、安価でかつ構造的にも簡易なメダル払い出し装置を得ることができる。【００２４】また本発明は、前記メダル貯留部が複数であって、これら各メダル貯留部に対応して、メダル払出手段とメダル切れ検出手段とメダル払出確認手段とが夫々設けられた構成であり、かつ前記制御手段は、前記各メダル払出確認手段がメダル不確認のときに前記各メダル払出手段に対しメダル払出のための払出運転を繰り返し実施させる再払出運転実施手段と、前記各再払出運転が規定回数を超えて繰り返されたオーバー運転なのかを判断する再払出運転オーバー判断部と、前記各再払出運転の全てがオーバー運転であるときに、各々のメダル切れ検出手段を通じて全てのメダル貯留部においてメダル切れ情報を得るならば、メダル貯留部のメダル切れと判断して、前記各メダル払出手段の払出動作を停止し、メダルが前記補給口から補給されることにより、メダル有りが前記各メダル切れ検出手段を介して検出されると、前記各メダル払出手段を払出動作状態に復帰駆動する復帰駆動制御手段とから構成されていることを特徴とするメダル払出装置である。【００２５】この構成によれば、複数のメダル貯留部によって、多量のメダルをスピーディに払い出すことができる。いずれか一つの貯留部でリトライ運転のオーバーがあれば、他の貯留部の払出手段が払出を担って継続するので、何ら支障はない。再払出運転オーバー判断部で、全ての貯留部ともリトライ運転オーバーと検知され、かつどの貯留部もメダル切れ状態であると判断すると、メダル補給が必要となるので、例えばメダル無しという表示が表示部に表示される。この時には店員は前面扉を開けることもなく、外部のメダル補給口からメダルを補給すると、ホッパー等の貯留部にメダルが貯まり、やがてメダル切れ検出手段がメダル有りを検知するようになる。メダル有りとなれば、制御手段によってどの払出手段をも自動的に払出し状態に戻され、販売可能状態にスタンバイする。よって、払出途中でメダル切れであった場合でも、中断していた払い動作が再スタートできるようになり、メダルの払い出しを継続して行うことができるので、客に不便さをかけない。リトライ運転がメダル切れ検出手段を通じてメダル有りでのものと判断されたときは、メダル詰まりやジャムなどの異常と判定することが可能である。従ってこのときは、前扉を開けその異常解消のための処理を行い、従来と同様な作業で対処する。このケースでは前扉の開放後、リセット操作をすることになるが、それはジャム時だけなので、その頻度は従来のメダル切れ時にもリセット操作を行っていたときに比べ相当に少なくなり、メンテナンスの労力は軽減するようになって、有益である。【００２６】また本発明は、前記制御手段は、さらに、前記メダル払出確認手段がメダル不確認のときに前記メダル払出手段において実施されたメダル払出のための再払出運転が規定回数を超えて繰り返されたオーバー運転のときに、そのオーバー運転が前記メダル切れ検出手段がメダル切れと検知している状況下のものであった場合、メダル貯留部のメダル切れと判断し、一方前記メダル切れ検出手段がメダル有りと検知している状況下のものであった場合に、異常と判断する状態判断部を含むことを特徴とするメダル払出装置である。この構成であれば、メダル払出手段が払出動作中にもかかわらず、メダルの払い出しが確認されないときに、メダル貯留部のメダルの有無を検出することで、状態判断部によって、メダル切れであるのか、メダル詰まりなどの異常なのかが判別できる。すなわち、メダル切れ信号が検出されないならば、メダルが有ってメダルが出ないということから、メダル詰まり等の異常が生じていると判断することができる。一方メダル切れ信号があるならば、メダルが不払い出しなのは、メダル貯留部がメダル無しであるからというように、生じている状態を把握することができるので、保守、点検作業の能率向上に寄与することができる。【００２７】また本発明は、前記前扉に、販売に係わる表示を行う表示部を備え、前記表示部には前記状態判断部の判断結果に応じた内容の表示画面が前記制御手段にて切り替わり表示されることを特徴とするメダル払出装置である。表示部には、状態判断部がメダル切れと判断したならば、その旨の表示がなされるので、店員はメダル補給に直ぐに対応することができる。メダル詰まりやジャムと判断するならば、表示部はそれに合った表示に切り換わる。よって、店員は表示部を巡回監視することで、装置の稼動状態の良否を把握することができるとともに、画面表示の違いから具体的に採るべき措置を知り得るので、正常に機能するように装置を復帰させることが迅速に行える。このため、稼働率を落とさず、客へのサービス性は高まる。
【発明を実施するための最良の形態】
【００２８】遊戯用メダルを貯えるメダル貯留部を有すると共に、該メダル貯留部の底部にメダルを払い出すためのメダル払出手段を有し、払出指令により所要量のメダルを前記メダル貯留部から前記メダル払出手段によって取出口に払い出すメダル払出装置において、メダルを補給するために前記メダル払出装置の筐体の外面に設けられた前記メダル貯留部と通じるメダル補給口と、前記筐体の前面開口に開閉自在に設けられ、かつ錠機構を備えた前扉と、前記メダル貯留部内のメダルが設定残量以下のメダル切れであることを検出するメダル切れ検出手段と、前記メダル貯留部からメダルが払い出されたことを検出するメダル払出確認手段とを備え、前記メダル払出確認手段がメダル不確認のときに、前記メダル払出手段に対しメダル払出のための再払出運転を行うように制御する一方、この再払出運転が、前記メダル切れ検出手段がメダル切れと検知している状況下のものであった場合、メダル貯留部のメダル切れと判断し、前記メダル払出手段の払出動作を停止し、前記補給口から補給されたメダルにより前記メダル切れ検出手段にてメダル有りが検出されると、前記メダル払出手段を払出動作状態に復帰制御する制御手段を有することを特徴とするメダル払出装置である。
【実施例】
【００２９】図１は、本発明のメダル払出装置の外観斜視図である。図２は、メダル払出装置の内部の構造を示した前扉開放時の外観斜視図である。図３は本発明のメダル払出装置の概略縦断側面図である。図４は図１乃至図３に示したメダル払出装置が備えた制御ユニットのフロントパネル部を示す正面図である。図５は本発明の制御動作を示すフローチャートである。図６は本発明の制御フローに基づき前扉の表示部に表示される、メダル払い出し時にメダル切れとなった場合の表示画面の図である。図７は、メダル詰まりなどの異常が起きた場合の表示画面の図である。図８は、異常の表示に基づき前扉を開いたときの表示画面の図である。図９は、販売待機（客待ち）時にメダル切れが起きている場合の表示画面の図である。【００３０】メダル払出装置１０の筐体１１は、基台１２と、該基台１２上に一体に設けられた前面開放のケーシング１３と、該ケーシング１３の前面開放部を開閉すべく設けられた前扉１４とからなり、全体として直方体状に形成されている。前記前扉１４は、ケーシング１３に対してその一側部にて図示せぬ蝶番を介して揺動自在に取り付けられている。そしてこのメダル払出装置１０は、メダル切れ時に、前記前扉１４を開けずともメダルを補給できるように、筐体１１の天井部１１ｔにメダルを補給するための外部補給口１５が設けられている。外部補給口１５は図示せぬ錠付きの蓋体１６にて開閉されるようになっており、通常蓋体１６には錠が施錠され、閉鎖されており、メダル補給時に鍵にて開錠し蓋体１６を開けて、ここからメダルを投入し補給する。補給口１５は、図３に示すように、筐体１１内にある後述のメダル貯留用のタンク４０(以降、メダルタンクと略記する)に、ケーシング１３内に形成したメダルの送給路５０を介して連絡している構成となっている。【００３１】さて前扉１４の前面側には紙幣の挿入口１７と硬貨の投入口１８と、硬貨返却用の返却レバー１９が配設されている。なお本メダル払出装置１０は両替機能をも持ち、紙幣を低額硬貨に両替をすることもできるものとなっているので、紙幣挿入口１７の下部は、紙幣払い出し口２１となっており、ここに両替紙幣およびつり銭用の紙幣が払い出されるように構成してある。紙幣挿入口１７の上には、図示していないが複数の選択ボタンを並べた選択部２２が設けられている。各々の選択ボタンは、予め異なる払い出しメダル数／両替硬貨枚数に対応設定されているので、投入貨幣金額内で所望の選択ボタンを押すことで、選択した分のメダル／両替硬貨を得られる。選択部２２の上方には長方形横長の表示部２３が配置されている。この表示部２３は、いわゆるドットマトリクス方式の蛍光表示器からなり、後述する制御ユニット３０（図３参照）からの表示内容データに基づく表示を行う。例えば「いらっしゃいませ」等の販売可の表示、メダル切れの表示、メダル詰まり等の表示など、様々な表示がなされる。一方、前扉１４の下側位置には、メダルの払出口２４と硬貨の払出口２５とが設けられている。メダル払出口２４には、メダル受け用のカップがカップ供給装置２５から自動的に１つ送出され、これにメダルが入れられようになっている。カップ供給装置２５は、図２に示すように前扉１４���裏面部に装備されている。前扉１４の右側中央部には、該前扉１４を開閉するための錠機構２６が設けられており、図示しない鍵をこの錠機構２６に差し込んで回すことにより前記前扉１４の施錠及び解錠がなされる。【００３２】次に装置内部の構造について説明する。図２に示すように、前扉１４の背面側上部には、前記表示部２３を駆動する駆動部や各選択ボタンを背面から照明する照明手段等が内蔵されたユニット２７が設けられている。ユニット２７の下に硬貨選別装置２８が設けられている。ユニット２７の右側にカップコラム２５ｃとカップ補給機２５ｄからなるカップ供給装置２５が配設されている。また前記硬貨選別装置２８で識別された硬貨が金種別（１００円，５００円）に収容される金庫２９ａ，２９ｂが設けられている。【００３３】ケーシング１３の方には、その内部の上方部に制御ユニット３０が配設されている。ここで、この制御ユニット３０に付き説明する。図４は、そのフロントパネル部を示している。フロントパネル部の略中央部に入力手段としてのテンキー（１０キー）ボタン３１が配置されている。他にクリアーキーボタン３２及びセットキーボタン３３が配置されている。これら各ボタンの左側には、キースイッチ３４が設けられており、該キースイッチ３４に差し込んだキー３４Ｋを数段階例えば３段階に操作し得える。その各段階でおいてクリアーモード、表示モード及び設定モードが選定されるべくなされている。また前記テンキーボタン３１の下方に、リセットボタンＲＳが設けられている。このリセットボタンＲＳは、異常時例えばメダル詰まりやメダル切れセンサの故障などにより正常動作が機能しない時などに押して、装置を払出動作状態に復帰させるためにある。テンキーボタン３１の上方には長方形横長にして小型の表示部３６が配置されている。この表示部３６は、液晶表示器からなり、制御部（ＣＰＵ）から送出される表示内容データに基づく表示を行う。この表示部に、エラー内容や、取引内容などが表示される。前記表示部３６の左方にはメダルの売上枚数をカウントして表示する売上カウンタ３７が設けられている一方、表示器３６の右方下側に、売上げ内容をプリントアウトするプリンター３８が設置されている。【００３４】さて、図２において、前記制御ユニット３０の下にメダルを貯留するメダルタンク４０（ＭＴ１、ＭＴ２）が設けられている。上記メダルタンク４０の下に、ホッパーＨ１とホッパーＨ２の２台のホッパーが配設されている。メダルタンク４０は、ホッパーＨ１，Ｈ２の頂部にジョイントされている。上記メダルタンク４０の下に配設した２台のホッパーＨ１，Ｈ２には、メダルの残量を検出するメダル残量検知装置５１（図３参照）が設けられている。メダル残量検知装置５１は、メダルの残り量が予め設定した所定値になるとメダル切れ信号を出力するメダル切れセンサＭＥ１，ＭＥ２である。メダル切れセンサＭＥ１，ＭＥ２としては、発光素子５１ａと受光素子５１ｂから成る透光型検知装置などが利用できる。メダル切れセンサからの、メダル有り信号／無し信号は、制御ユニット３０の制御部（ＣＰＵ）（図１０参照）に入力して、回転ディスクＤ１、Ｄ２の駆動／停止／一時停止などの駆動制御や表示部２３���販売中／販売中止／メダル切れなどの表示制御に係わるものとなっている。【００３５】ホッパーＨ１とホッパーＨ２にはそれぞれメダルを払い出すためのメダル投出器５５が設けられている。メダル投出器５は、それぞれのホッパーＨ１、Ｈ２に備わる回転ディスクＤ１，Ｄ２である。ここでホッパーＨ１には従来と同様にメダル払出確認手段５３が設けられている。メダル払出確認手段５３は、メダル払出センサＭＳ１である。同様にホッパーＨ２にも、メダル払出確認手段５３であるメダル払出センサＭＳ２が設けられている。そして、それぞれのホッパーＨ１，Ｈ２は、メダルの払い出し後、通常ならメダルが通過し検知信号が出力するであろうと考えられる所定時間内にメダル払い出し信号がメダル払出センサＭＳ１，ＭＳ２から出力しない場合、前述したようなリトライ運転が実行されるものとなっている。なお、メダルタンク４０の隣には、つり銭・両替用として払い出す硬貨を収容するための硬貨収容用タンク４２も設けられている。また該メダルタンク４２に対応して硬貨払い出し用のホッパー４３が設けられている。前扉１４に設けた紙幣挿入口１７に対応して、紙幣識別機４４が設置されている。紙幣識別装置４４の上方は投入された紙幣を金種毎に収容する金庫（２０００円、５０００円、１００００円）４５ａとされ、紙幣識別機４４の下方には、投入された１０００円紙幣をつり銭／両替紙幣として再利用するべく一時的に収容するための金庫４５ｂとされている。なお売上計算などのため、メダルや硬貨を自動回収する自動回収ユニット４７が設けられており、ホッパーＨ１，Ｈ２やメダルタンク４０に残っているメダル／硬貨を回収袋４９ａ、４９ｂに回収することができる。メダル／硬貨は通路切換装置４８ａ、４８ｂにより、２つの回収袋４９ａ、４９ｂに分けて選択的に回収される。【００３６】次に本発明の制御フローを、図５に基づいて説明する。従来と同様に、ホッパーＨ１とホッパーＨ２からメダルが払い出される（ステップＳ１）。次いでホッパーＨ１が、メダルセンサＭＳ１からメダル払出信号が得られないまま、リトライ運転が規定回数（例えば３回）以上続くリトライ運転オーバーであるか否かの判断が行われる（ステップＳ２）。ステップＳ２で、ホッパーＨ１がリトライオーバーである（Ｙｅｓ）と判断されたら、次に、同様にホッパーＨ２がリトライオーバーか否かの判断が行われる（ステプＳ３）。本発明では、ステップＳ２の判断とステップＳ３の判断が共にＹｅｓとなった以降の制御フローが従来と異なる。すなわちこの場合に従来では、図１１の点線枠１０３で囲んだフローに従い制御されていたが、本発明では、図５の点線枠１０１で囲んだフローに従い制御されるものとなっている。すなわち、ステップＳ２とステップＳ３とでＹｅｓとなった場合に、ホッパーＨ１とホッパーＨ２のメダルの残量を、メダル切れセンサＭＥ１，ＭＥ２により検知し、メダル切れであるかどうかを判断する（ステップＳ４）。これは、ステップＳ１、Ｓ２がＹｅｓということは、リトライ運転を規定回数以上、実施してもメダルが払い出されないということであり、その事態の原因の１つとして、ホッパーＨ１，Ｈ２にメダルが無い、すなわちメダル切れとなっているか���払い出されないと予測することができるからである。従来ではＳ２２とＳ２３の、ホッパーｈ１とホッパーｈ２でのリトライオーバーの有無のみを把握して、Ｓ２２とＳ２３とでＹｅｓであれば、メダル切れとジャムのいずれかが生じているとの判断だけで、即、中止画面の表示にして販売中止とさせていた。これに対し、本発明ではそのメダル切れとジャムの判別をも行い、メダル切れの場合は、メダル補給で、払い動作が復帰するようにしたものである。これによりジャムが起きたときは稼動中止になるが、従来のメダル切れでもジャムでも販売中止になるのに比べ、装置の稼動率、客へのサービス性がアップする。【００３７】そのために、ホッパーＨ１とホッパーＨ２がメダル切れであるかという判断（ステップＳ４）を行うことにした。この判断がＹｅｓならば、ホッパーＨ１，Ｈ２のリトライオーバーは、メダル切れが原因で起きたと判断するのである。メダル切れであるかは、ホッパーＨ１のメダル切れセンサＭＥ１からメダル切れ信号が出力されているか、またホッパーＨ２のメダル切れセンサＭＥ２からメダル切れ信号が出力されているかを検出することでメダル切れを判断することができる。こうしてホッパーＨ１、及びホッパーＨ２から共にメダル切れ信号が検出されれば、ホッパーＨ１およびＨ２がリトライオーバーとなったのは、メダル切れによるものであると判断し、次に表示部２３にその旨の表示をする（ステップＳ５）。具体的には、表示部２３に図６に示すような払出画面の表示を行う。すなわち表示部２３には、同図に示したように、投入金額（１０００円）、残りの払出しメダル数（１００）など、取引内容を表示した払出画面に加えて、その右方に「ＭＥＤＡＬ  ナシ」の表示を行い、メダル切れであることを表示させる。【００３８】この表示画面でメダルが無いことを知った店員は、メダルをメダル払出装置１０の外部補給口１５から投入し、ホッパーＨ１，Ｈ２のそれぞれのメダルタンク４０にメダルを補給する（ステップＳ６）。そして普段は錠で閉鎖されているメダル払い出し機筐体１１外面の蓋体１６を鍵で開け、開け口（補給口）１５からメダルを補給する。よって、メダルの補給は前扉１４を開けなくても行える。投入されたメダルは、自動的に各メダルタンク４０に導かれ貯留する。そして、メダルタンク４０からホッパーＨ１，Ｈ２に貯留されたメダルによって、ホッパーＨ１，Ｈ２においてはメダルセンサＭＥ１，ＭＥ２からメダル有り信号が出力したか否かを見る。すなわち補給されたメダルによって、ホッパーＨ１とＨ２がメダル有りとなったか否かの判断を行う（ステップＳ７）。判断（Ｓ７）がＹｅｓとなって、ホッパーＨ１、Ｈ２からメダル有り信号が検出されたなら、制御部はこの信号を受けて、メダルのストック量が十分で払出可能であると判断し、払出手段５５が払出動作を再びスタートできるように駆動制御指令が発令される。これによりメダル払い出し手段５５が払い出し動作ができる状態に自動的に復帰し、残りのメダルが継続して払出されるようになる（ステップＳ８）。このようにしてメダルの補給が行なわれれば、自動的に払出動作が復帰するように制御されているので、従来のように制御部に対してリセットする操作は要らない。��なわち、メダル払い出し中にメダル切れが起きても、従来のような前扉を開けて、さらにリセットを行う作業を必要としないので、待機状態に戻すことが簡単であり、時間も多くかからない。このため、メダル払い出し装置の稼動率が高まり、客へのサービス性が増す。【００３９】なお、通常の払い出し運転で、次第にメダルのストック量が無くなりメダル切れとなる販売待機時のメダル切れの場合は、メダル切れセンサＭＥ１、ＭＥ２のメダル切れ信号で、例えば図８に示すような「中止  Ｍ  ナシ」というメダルが無くなり販売を中止しますというような画面表示にする。そして客はこの画面からメダルの払出しが行えない状態であることを知ると共に、店員はこの画面表示から一般的な販売待機中のメダル切れであることを知り、同様にメダルを外部の補給口１５から補給する。補給後、メダル切れセンサＭＥ１，ＭＥ２５１からメダル切れ信号が消滅することにより、払出動作可能状態に自動的に復帰して、「いらっしゃませ」というような客待ち状態の表示画面になり、販売が可能になるのである。【００４０】一方、ステップＳ２の判断とステップＳ３の判断とがＹｅｓで、ホッパーＨ１，Ｈ２が共にリトライオーバーであった時に、ステップＳ４の判断はＮｏとなったケースに付いて説明する。この場合のステップＳ４でＮｏという判断は、ホッパーＨ１，Ｈ２にメダルが有る状況で、ホッパーＨ１，Ｈ２がリトライ運転してもメダルが出ず、リトライ運転オーバーとなったことを意味する。すなわち通常メダルが有ってリトライ動作があればメダルは出るが、メダルが有ってもリトライ運転オーバーしたということから、メダル詰まり（噛み込みやブリッジ現象）などでメダルが出ないと推定することができる。ただしステップＳ４のメダル有りと検知しても、メダル切れセンサ自体が故障でメダル有り信号が出力し続ける誤作動や、あるいはメダル切れセンサがフォトセンサ等であった場合に、異物で光が遮断され恰もメダル有りと検知するエラー検出もあり、このような状況下でのリトライオーバーと言うこともある。従って、ステップＳ４の判断は、メダル切れやメダル詰まり以外の異常の検出の判断材料として利用することが可能である。しかし上記ステップＳ４で判断がＮｏならば、大概はメダル詰まりなどの異常であろうと判定することはできる。ただしこの判断がＮ０のときには、念のためメダル切れセンサの個所の点検をし、不良の検知状況があるかのチェックをすることは必要である。【００４１】さてステップＳ４でＮ０となり、メダル詰まりやセンサエラー発生などが予測されるこのケースでは、メダルの除去やメダル切れセンサーの点検などをしなければならないので、前扉１４の開放を必要とする。また安全に修復作業ができるように、メダル払出装置自体の駆動を停止する。また修復後、従来と同様にリセットボタンを押して、装置を再起動するためのリセット操作を行う必要がある。すなわち点線枠１０２に示す手順の制御フローが行われる。このフローは、図１１の点線枠１０３に示す従来とほぼ同様のフローであり、それとほぼ同じ手順で対応し処理することとなる。そしてステップＳ４でＮｏとなったこの時は、表示部はメダル詰まりなどの異常表示画面に変わる(ステップＳ９)。すなわち、表示部２３に図７に示すような払出画面で、メダルエラーを表示した表示画面になる。表示部２３には、投入金額、残りの払出しメダル数など取引内容を表示した払出画面に加えて、その右方に「ＭＥＤＡＬ  エラー」の表示を行い、ホッパー部に異常が起きていることを表示させる。この場合、客に呼ばれた店員は表示されている残り枚数(１００枚)を見て、不足分のメダルを客に渡すことが可能なので、このような対応で客とのトラブルの回避が可能である。【００４２】なお、前扉１４の開放は、鍵を持つ別の店員によって行われる。キーを錠装置２６に差し込み解錠し前扉１４を開ける。開けた場合には、表示部２３に、図８に示すようなエラーを表示した中止画面が表示される。そして従来と同様に、所定のテンキーの操作により表示部３６にエラー内容を表示することにより、例えばメダル詰まりであることを把握しその詰まりメダルを除去するなど、エラー解消のための措置を行う(ステップＳ１０)。措置後、リセットスイッチＲＳを操作しエラー内容を解徐する（ステップＳ１１）。必要ならばメダルの外部補給口１５からの補給を行い（ステップＳ１２）。メダル補給によりメダル有りとなれば(ステップＳ１３)、前扉１４を閉じると、表示部２３は払出画面の表示に切り替り、メダルの払い出しが継続する(ステップＳ１４)。これにて客待ちの販売待機となる。このように、ステップＳ４での判断がＮｏで、メダル有り状態でのホッパー１，２のリトライオーバーであるときは、メダル詰まり等の異常であると判定ができるようになっている。【００４３】このように、ステップＳ１〜Ｓ８のフローと、ステップＳ９〜１４のフローに係る制御手段によって、メダルが正常に払い出されない事態が、メダル切れに拠るものか、メダル詰まりなどの異常、故障に拠るものかの判別が可能で、かつその原因に応じた内容の画面表示を行なわせることができる。そしてこの表示内容に応じて扉開閉を行うと共に、メダル補給などは閉扉状態で行うものとなっており、かつメダル補給を済ますと、メダル払い出し装置は払い出し動作が出来るように自動復帰するように制御されている。したがって、払い出しの中断があっても長い時間を置かないで自動的に払い出しが継続して行えるようになる。また従来は払い出し状態への復帰は、リセット操作により戻すようにしていたが、そのリセット操作は不要になるので、待機状態のセッティングが容易になり作業が捗ると共に、メンテナンス性が向上する。そして通常のメダル切れなどでは、前面扉の開放は行われず、メダル詰まりなど開扉の必要性ある場合にのみキーを有する特定者だけが開閉可能とするように制限してあるので、店員が装置内部の金庫部に触れる頻度が少なくなるため、金銭の紛失トラブルなどが減り、金銭管理などの面での管理改善の効果が期待できる。
【図面の簡単な説明】
【００４４】
【図１】図１は、本発明のメダル払出装置の外観斜視図である。
【図２】図２は、前扉を開け、メダル払出装置の内部の構造を示した外観斜視図である。
【図３】図３は、本発明のメダル払出装置の概略縦断側面図である。
【図４】図４は図１乃至図３に示したメダル払出装置が備えた制御ユニットのフロントパネル部を示す正面図である。
【図５】図５は本発明の制御動作を示すフローチャートである。
【図６】図６は本発明の制御フローに基づき前扉の表示部に表示される払い出し時のメダル切れの表示画面の図である。
【図７】図７は、本発明の制御フローに基づき前扉の表示部に表示される、メダル詰まりなどの異常時の表示画面の図である。
【図８】図８は、異常時に前扉を開いたときに、制御ユニットにある表示部に表示される画面を示す図である。
【図９】図９は、前扉の表示部に表示される、待機時のメダル切れの表示画面の図である。
【図１０】図１０は、メダル払い出し装置の概略ブロック構成図である。
【図１１】図１１は、従来の制御動作を示すフローチャートである。
【符号の説明】
【００４５】Ｈ１，Ｈ２  ホッパー１０  メダル払出装置１１  筐体１４  前扉１５  メダルの外部補給口１７  紙幣挿入口１８  硬貨投入口２３  表示部３０  制御ユニットＲＳ  リセットスイッチ４０  メダルタンク５１（ＭＥ１，ＭＥ２）  メダル切れ検出手段５３  メダル払出確認手段（ＭＳ１，Ｓ２）５５  メダル払出手段（Ｄ１，Ｄ２）      
【図１】
2008161229.tif 000003
【図２】
2008161229.tif 000004
【図３】
2008161229.tif 000005
【図４】
2008161229.tif 000006
【図５】
2008161229.tif 000007
【図６】
2008161229.tif 000008
【図７】
2008161229.tif 000009
【図８】
2008161229.tif 000010
【図９】
2008161229.tif 000011
【図１０】
2008161229.tif 000012
【図１１】
2008161229.tif 000013